(57)【要約】【課題】測定者の設定が容易で、且つ間違いのない健康測定システムを提供する。【解決手段】健康測定システムは、健康測定機器で測定した健康データが健康測定データ中継装置を介してデータサーバに送信され、且つ、送信された健康データが上記データサーバの測定者を特定する第１の測定者識別情報に対応する領域に記憶される健康測定システムにおいて、上記健康測定機器は、健康データを測定する測定手段と、測定者が測定前に家族内識別情報を設定する家族内識別情報設定手段と、上記測定手段により測定された健康データと、上記家族内識別情報設定手段により設定された上記家族内識別情報とを対にして健康測定データ中継装置に送信する第１の通信手段と、を有する。【選択図】図１
2008229123.tif 000002
【特許請求の範囲】
【請求項１】
健康測定機器で測定した健康データが健康測定データ中継装置を介してデータサーバに送信され、且つ、送信された健康データが上記データサーバの測定者を特定する第１の測定者識別情報に対応する領域に記憶される健康測定システムにおいて、
上記健康測定機器は、
健康データを測定する測定手段と、
測定者が測定前に家族内識別情報を設定する家族内識別情報設定手段と、
上記測定手段により測定された健康データと、上記家族内識別情報設定手段により設定された上記家族内識別情報とを対にして健康測定データ中継装置に送信する第１の通信手段と、
を有することを特徴とする健康測定システム。
【請求項２】
健康測定機器で測定した健康データが健康測定データ中継装置を介してデータサーバに送信され、且つ、送信された健康データが上記データサーバの測定者を特定する第１の測定者識別情報に対応する領域に記憶される健康測定システムにおいて、
上記健康測定機器は、
健康データを測定する測定手段と、
第２の測定者識別情報を取得する識別情報取得手段と、
上記測定手段により測定された健康データと、上記識別情報取得手段により取得された上記第２の測定者識別情報とを対にして健康測定データ中継装置に送信する第１の通信手段を有することを特徴とする健康測定システム。
【請求項３】
上記健康測定データ中継装置は、
予め家族内識別情報と上記第１の測定者識別情報とを対応付けて記憶する第１の記憶手段と、
上記健康測定機器から送信される対の家族内識別情報と健康データとを受信する第２の通信手段と、
上記第２の通信手段で受信した家族内識別情報を用いて上記第１の記憶手段に記憶されている第１の測定者識別情報を検索する検索手段と、
上記第２の通信手段で受信した健康データと上記家族内識別情報に対応する第１の測定者識別情報とを対にして上記データサーバに送信する第３の通信手段と、
を有することを特徴とする請求項１に記載の健康測定システム。
【請求項４】
上記健康測定データ中継装置は、
上記健康測定機器から送信される対の第２の測定者識別情報と健康データとを受信する第２の通信手段と、
上記第２の通信手段が受信した対の第２の測定者識別情報と健康データと上記データサーバに送信する第３の通信手段と、
を有することを特徴とする請求項２に記載の健康測定システム。
【請求項５】
上記健康測定データ中継装置は、
上記健康測定機器から送信される対の第２の測定者識別情報と健康データとを受信する第２の通信手段と、
受信した第２の測定者識別情報を上記データサーバに送信し、上記データサーバから健康データの送信の許可を受信したときに健康データを上記データサーバに送信する第３の通信手段と、
を有することを特徴とする請求項２に記載の健康測定システム。
【請求項６】
上記データサーバは、
上記健康測定データ中継装置から送信される上記第１の測定者識別情報と健康データを受信する第４の通信手段と、
測定者毎に健康データを記憶するために上記第１の測定者識別情報に基づいて区分けされている領域を有する第２の記憶手段と、
上記第４の通信手段で受信した上記第１の測定者識別情報に基づいて上記第２の記憶手段の記憶領域に、対として受信した健康データを書き込む書込処理手段と、
を有することを特徴とする請求項１に記載の健康測定システム。
【請求項７】
上記データサーバは、
上記健康測定データ中継装置から送信される上記第２の測定者識別情報と健康データを受信する第４の通信手段と、
測定者毎に健康データを記憶するために上記第１の測定者識別情報に基づいて区分けされている領域を有するとともに測定者の上記第１の測定者識別情報と上記第２の測定者識別情報とを対応付けて記憶する第２の記憶手段と、
上記第４の通信手段で受信した第２の測定者識別情報基づいて上記第２の記憶手段の上記第１の測定者識別情報を検索し、上記第１の測定者識別情報を抽出したとき、第２の測定者識別情報と対として受信した健康データを抽出した第１の測定者識別情報により特定される第２の記憶手段の領域に記憶する書込処理手段を有することを特徴とする請求項４に記載の健康測定システム。
【請求項８】
上記データサーバは、
上記健康測定データ中継装置から送信される上記第２の測定者識別情報と健康データを受信する第４の通信手段と、
測定者毎に健康データを記憶するために上記第１の測定者識別情報に基づいて区分けされている領域を有するとともに測定者の上記第１の測定者識別情報と上記第２の測定者識別情報とを対応付けて記憶する第２の記憶手段と、
上記第４の通信手段で受信した上記第２の測定者識別情報に基づいて上記第２の記憶手段の第１の測定者識別情報を検索し、上記第１の測定者識別情報を抽出したとき、健康データの送信を許可する送信承認情報を送信元の健康測定データ中継装置に送信する書込処理手段を有することを特徴とする請求項５に記載の健康測定システム。
【発明の詳細な説明】
【技術分野】
【０００１】
この発明は、体重、血圧、体脂肪率など健康のバロメータとなる健康データを測定し、トレンドデータを得るために健康データをデータサーバに記憶する健康測定システムに関するものである。
【背景技術】
【０００２】
家庭内で血圧、体重などの健康データを、日常的に連続して測定することは、トレンドデータを取得することができ、疾病予防に大きな効果がある。しかし、出張や旅行などでユーザが家庭を離れる場合、健康データの連続性に欠損が生じてしまい、トレンドデータを正しく取得することができなくなる。そこで、スポーツジム、ホテルなど多数のユーザの利用が可能な場所に同じシステムの健康データ収集装置と健康機器を置くことにより、家庭で健康データを測定、収集しているユーザが外出先でも健康データの測定、収集が可能である。
【０００３】
そして、健康診断ネットワークシステムの患者端末は、バイタルセンサーで測定した生体情報が予め定められた閾値を上回ると、その生体情報の測定項目に関係する情報を含むインターネット上のサイトの検索及び当該サイトへの接続を自動的に実行するための検索制御手段と検索情報受信手段を備える。また、患者端末は、検索情報受信手段が接続したサイトを表示手段に自動的に表示させる検索情報表示制御手段を備える。（例えば、特許文献１参照）。
【０００４】
【特許文献１】特開２００６−２５１８７２号公報
【発明の開示】
【発明が解決しようとする課題】
【０００５】
個人の正しいトレンドデータを取得するためには、データサーバ上に個人ＩＤにより識別されるデータベースを設け、正しいデータベースに登録しなければならない。そして、家庭においては、複数の家族が健康測定機器を共用するので、測定前に家族の誰であるかを設定してから、測定しデータを送信しなければならない。
しかし、普通の健康測定機器には、長い文字列である個人ＩＤの入力に適するユーザインタフェースを備えることが難しいという問題がある。
また、外出先の多数のユーザが利用する場所においては、測定前に個人ＩＤを設定してから、測定しデータを送信しなければならないので、家庭内と同様に、ＩＤ入力手段および多数のユーザが使用する環境であるので、認証手段が必要である。
【０００６】
この発明の目的は、測定者の設定が容易で、且つ間違いのない健康測定システムを提供することである。
【課題を解決するための手段】
【０００７】
この発明に係る健康測定システムは、健康測定機器で測定した健康データが健康測定データ中継装置を介してデータサーバに送信され、且つ、送信された健康データが上記データサーバの測定者を特定する第１の測定者識別情報に対応する領域に記憶される健康測定システムにおいて、上記健康測定機器は、健康データを測定する測定手段と、測定者が測定前に家族内識別情報を設定する家族内識別情報設定手段と、上記測定手段により測定された健康データと、上記家族内識別情報設定手段により設定された上記家族内識別情報とを対にして健康測定データ中継装置に送信する第１の通信手段と、を有する。
【発明の効果】
【０００８】
この発明に係る健康測定システムの効果は、家族内識別情報が設定できる健康測定機器で測定した健康データと家族内識別情報とを対として健康測定データ中継装置に送信するので、健康測定データ中継装置では予め家族内識別情報と第１の測定者識別情報とを対応付けて記憶し、受信した家族内識別情報を用いて第１の測定者識別情報を検索すれば健康データと第１の測定者識別情報とを対にしてデータサーバに送信できる。そのため、数の少ない家族内識別情報を測定時に設定すれば良いので、家族内識別情報の設定間違いが起こりにくいことである。
【発明を実施するための最良の形態】
【０００９】
実施の形態１．
図１は、この発明の実施の形態１による健康測定システムの構成図である。
この発明の実施の形態１による健康測定システム１は、サービスプロバイダ３が提供するサービスを受けるためのシステムであり、家庭２内で測定した健康データをサービスプロバイダ３が設置するデータサーバ４に記憶する。
そして、この発明の実施の形態１による健康測定システム１は、体重、血圧、体脂肪率などの健康データを測定するための体重計、血圧計、体脂肪計などの健康測定機器５、健康測定機器５で測定した健康データを収集しデータサーバ４に中継する健康データ中継装置としての宅内ゲートウエイ６、健康データを記憶するデータサーバ４、宅内ゲートウエイ６に設定の情報を入力するためのユーザパソコン７を備える。
【００１０】
また、健康測定システム１では、健康測定機器５と宅内ゲートウエイ６との間で無線９により通信が行われ、宅内ゲートウエイ６とデータサーバ４との間でインターネット１０を介して通信が行われ、宅内ゲートウエイ６とユーザパソコン７との間でケーブル１１を介して通信が行われる。
【００１１】
健康測定機器５は、健康データを測定する測定手段２１、健康データを測定するときに測定者を家族内で識別する家族内識別情報設定手段としてのユーザインタフェース２２を備える。ユーザインタフェース２２は、例えば４個の押しボタンからなり、例えば、父親に第１の押しボタン、母親に第２の押しボタン、長男に第３の押しボタン、長女に第４の押しボタンを割り当てることができる。
また、健康測定機器５は、宅内ゲートウエイ６と無線通信する第１の通信手段２３を備える。
第１の通信手段２３は、健康データの測定が完了すると、押されている押しボタンから家族内識別情報としての家族内ＩＤを特定する。例えば、第１の押しボタンが押されているとき「００」、第２の押しボタンが押されているとき「０１」、第３の押しボタンが押されているとき「１０」、第４の押しボタンが押されているとき「１１」が家族内ＩＤとして特定される。
次に、第１の通信手段２３は、特定した家族内ＩＤと測定した健康データとを対にして宅内ゲートウエイ６に送信する。
【００１２】
宅内ゲートウエイ６は、ユーザパソコン７とケーブル通信する通信インタフェース２５、健康測定機器５と無線による通信を行う第２の通信手段２６、データサーバ４とインターネット１０を介した通信を行う第３の通信手段２７を備える。
また、宅内ゲートウエイ６は、家族内ＩＤに対応する第１の測定者識別情報としての加入者ＩＤが予め登録されている家族内ＩＤ−加入者ＩＤ対応表が記憶されている第１の記憶手段２８、通信インタフェース２５でユーザパソコン７から送信される加入者ＩＤおよび家族内ＩＤを受信したとき家族内ＩＤ−加入者ＩＤ対応表に登録する加入者登録手段２９、第２の通信手段２６で健康測定機器５から送信される家族内ＩＤを用いて第１の記憶手段２８に記憶される家族内ＩＤ−加入者ＩＤ対応表を検索して加入者ＩＤを抽出する検索手段３０を有する。
【００１３】
図２は、この発明の実施の形態１による家族内ＩＤ−加入者ＩＤ対応表の例である。
家族内ＩＤ−加入者ＩＤ対応表には、図２に示すように、家族内ＩＤと加入者ＩＤが対応付けられて登録されている。例えば、家族内ＩＤ「００」に対して加入者ＩＤ「ＡＡＡＡＡＡ」、家族内ＩＤ「０１」に対して加入者ＩＤ「ＢＢＢＢＢＢ」、家族内ＩＤ「１０」に対して加入者ＩＤ「ＣＣＣＣＣＣ」、家族内ＩＤ「１１」に対して加入者ＩＤ「ＤＤＤＤＤＤ」が対応付けられている。
【００１４】
検索手段３０は、第２の通信手段２６で受信した家族内ＩＤを用いて家族内ＩＤ−加入者ＩＤ対応表を検索する。例えば、受信した家族内ＩＤが「１０」のときには加入者ＩＤとして「ＣＣＣＣＣＣ」が抽出される。
第３の通信手段２７は、健康データと加入者ＩＤとを対にしてデータサーバ４に送信する。
【００１５】
データサーバ４は、インターネット１０を介して宅内ゲートウエイ６と通信を行う第４の通信手段３５、加入の申請をサービスプロバイダが受理したとき、サービスプロバイダが加入者ＩＤのために領域が設定され、その領域に健康データが加入者ＩＤ毎に記憶される第２の記憶手段３６、第４の通信手段で受信した加入者ＩＤに基づいて第２の記憶手段３６の記憶領域に、加入者ＩＤと対で受信した健康データを書き込む書込処理手段３７を有する。
【００１６】
次に、加入者ＩＤおよび家族内ＩＤを予め設定することを説明する。
加入を希望する人がサービスプロバイダに、はがきまたはインターネットによって申請を行うと、サービスプロバイダは、利用者の人数分の加入者ＩＤを割り付けて、申請した人に通知する。加入者ＩＤの通知を受けると、加入者ＩＤと家族内ＩＤとを対応してユーザパソコン７から宅内ゲートウエイ６に送信する。宅内ゲートウエイ６では、受信した加入者ＩＤと家族内ＩＤを家族内ＩＤ−加入者ＩＤ対応表に登録する。
一方、サービスプロバイダは、データサーバに加入者ＩＤの分の記憶領域を第２の記憶手段３６に設定する。
図３は、この発明の実施の形態１による第２の記憶手段に設定された記憶領域の例である。
【００１７】
このような実施の形態１による健康測定システム１は、家族内ＩＤが設定できる健康測定機器５で測定した健康データと家族内ＩＤとを対として宅内ゲートウエイ６に送信し、家族内ＩＤと加入者ＩＤとが対応付けられて記憶されている宅内ゲートウエイ６で家族内ＩＤから加入者ＩＤを検索し健康データと加入者ＩＤとを対としてデータサーバ４に送信するので、測定毎の家族内ＩＤの設定が簡易であるし、間違いも起こりにくい。
また、押しボタンのような簡単なユーザインタフェース２２を採用できるので、設定の間違いが起こりにくい。
【００１８】
また、健康データが加入者ＩＤと対で送信されるので、データサーバ４で間違った加入者ＩＤの記憶領域に健康データを記憶することを防ぐことができる。
なお、ユーザパソコン７から宅内ゲートウエイ６に家族内ＩＤと加入者ＩＤとを対にして送信しているが、携帯電話機から宅内ゲートウエイ６にその情報を送信して良い。また、加入の申請と加入者ＩＤの受け取りを携帯電話機で行っても良い。
また、家族内ＩＤと加入者ＩＤが記録されているカードをユーザパソコン７で読み取っても良い。
【００１９】
実施の形態２．
図４は、この発明の実施の形態２による健康測定システムの構成図である。
この発明の実施の形態２による健康測定システム１Ｂは、家庭外で測定した健康データをサービスプロバイダ３が設置するデータサーバ４Ｂに記憶する。
そして、この発明の実施の形態２による健康測定システム１Ｂは、体重、血圧、体脂肪率などの健康データを測定するための体重計、血圧計、体脂肪計などの健康測定機器５Ｂ、健康測定機器５Ｂで測定した健康データを収集しデータサーバ４Ｂに中継する健康データ中継装置としての外部ゲートウエイ１２、健康データを記憶するデータサーバ４Ｂ、第２の測定者識別情報が記憶されているカード８を備える。
【００２０】
また、健康測定システム１Ｂでは、健康測定機器５Ｂと外部ゲートウエイ１２との間で無線９により通信が行われ、外部ゲートウエイ１２とデータサーバ４Ｂとの間でインターネット１０を介して通信が行われる。
カード８は、世界でユニークに識別することができ、且つ、加入者ＩＤとは異なるカード情報を有しており、例えば、クレジットカード番号、ＥｄｙやＳｕｉｃａのＩＤ番号、住基ネット番号などである。
【００２１】
健康測定機器５Ｂは、健康データを測定する測定手段２１、健康データを測定するときに測定者を識別する第２の測定者識別情報を取得する識別情報取得手段としてのカードリーダ１３、外部ゲートウエイ１２と無線通信する第１の通信手段２３Ｂを備える。
カードリーダ１３は、測定に先立って、または測定が完了したときにカード８の読み取りを促し、カード８からカード情報を読み取ると、その情報を第２の測定者識別情報として第１の通信手段２３Ｂに送る。
第１の通信手段２３Ｂは、健康データの測定が完了すると、取得した第２の測定者識別情報と測定した健康データとを対にして外部ゲートウエイ１２に送信する。
【００２２】
外部ゲートウエイ１２は、健康測定機器５Ｂと無線による通信を行う第２の通信手段２６Ｂ、データサーバ４Ｂとインターネット１０を介した通信を行う第３の通信手段２７Ｂを備える。そして、外部ゲートウエイ１２は、第２の通信手段２６Ｂで受信した健康測定機器５Ｂからの健康データと第２の測定者識別情報を対にしてデータサーバ４Ｂに中継する。
【００２３】
データサーバ４Ｂは、インターネット１０を介して外部ゲートウエイ１２と通信を行う第４の通信手段３５Ｂ、加入の申請をサービスプロバイダが受理したとき、サービスプロバイダが加入者ＩＤのために領域が設定され、その領域に健康データが加入者ＩＤ毎に記憶されるとともに加入者ＩＤに対応する第２の測定者識別情報が記録されている第２の記憶手段３６Ｂ、第４の通信手段で受信した第２の測定者識別情報に基づいて加入者ＩＤを検索し、加入者ＩＤが見つかったらその加入者ＩＤの第２の記憶手段３６Ｂの記憶領域に、対として受信した健康データを書き込む書込処理手段３７Ｂを有する。
【００２４】
次に、加入者ＩＤおよび第２の測定者識別情報をサービスの利用に先立って設定することを説明する。
加入を希望する人は、第２の測定者識別情報を一緒にしてサービスプロバイダ３に、はがきまたはインターネットによって申請を行うと、サービスプロバイダ３は、利用者の人数分の加入者ＩＤを割り付けて、申請した人に通知する。また、サービスプロバイダ３は、データサーバ４Ｂに加入者ＩＤの分の記憶領域を第２の記憶手段３６Ｂに設定するとともに、第２の測定者識別情報を当該記憶領域に記憶する。
図５は、この発明の実施の形態２による第２の記憶手段に設定された記憶領域の例である。
【００２５】
次に、測定された健康データがデータサーバ４Ｂに記憶されるまでの流れを説明する。
測定者は自身が携帯するカードをカードリーダ１３にかざして第２の測定者識別情報を入力し、それから健康データを測定する。健康測定機器５Ｂは、健康データと第２の測定者識別情報を対にして外部ゲートウエイ１２に送信する。外部ゲートウエイ１２は、対の健康データと第２の測定者識別情報をデータサーバ４Ｂに送信する。データサーバ４Ｂは、受信した第２の測定者識別情報を用いて加入者ＩＤを検索し、抽出された加入者ＩＤのための記憶領域に健康データを記憶する。
【００２６】
このように、第２の測定者識別情報を取得できる健康測定機器５Ｂで測定した健康データと第２の測定者識別情報とを対として外部ゲートウエイ１２を介してデータサーバ４Ｂに送信し、第２の測定者識別情報と加入者ＩＤとが対応付けられて記憶されているデータサーバ４Ｂで第２の測定者識別情報から加入者ＩＤを検索し、その加入者ＩＤのために設定された記憶領域に健康データが記憶されるので、既に他で用いているカード８を利用することができ、測定者と健康データとを取り間違えることを事前に防止することができる。
【００２７】
実施の形態３．
図６は、この発明の実施の形態３による健康測定システムの構成図である。
この発明の実施の形態３による健康測定システム１Ｃは、実施の形態２による健康測定システム１Ｂと外部ゲートウエイ１２Ｂとデータサーバ４Ｃとが異なっており、それ以外は同様であるので、同様な部分に同じ符号を付記し説明は省略する。
実施の形態３による外部ゲートウエイ１２Ｂは、健康測定機器５Ｂと無線による通信を行う第２の通信手段２６Ｂ、データサーバ４Ｃとインターネット１０を介した通信を行う第３の通信手段２７Ｃを備える。
そして、第３の通信手段２７Ｃは、第２の通信手段２６Ｂで健康測定機器５Ｂからの対で健康データと第２の測定者識別情報を受信したとき、第２の測定者識別情報をデータサーバ４Ｂに送信する。また、第３の通信手段２７Ｃは、データサーバ４Ｃから健康データの送信の許可を受けたとき、健康データをデータサーバ４Ｃに送信する。
【００２８】
データサーバ４Ｃは、インターネット１０を介して外部ゲートウエイ１２Ｂと通信を行う第４の通信手段３５Ｂ、加入の申請をサービスプロバイダが受理したとき、サービスプロバイダが加入者ＩＤのために領域が設定され、その領域に健康データが加入者ＩＤ毎に記憶されるとともに加入者ＩＤに対応する第２の測定者識別情報が記録されている第２の記憶手段３６Ｂ、第４の通信手段３５Ｂで受信した第２の測定者識別情報に基づいて加入者ＩＤを検索し、加入者ＩＤが見つかったときには健康データの送信を許可する旨外部ゲートウエイ１２Ｂに送信し、また、第４の通信手段３５Ｂで受信した健康データを加入者ＩＤの第２の記憶手段３６Ｂの記憶領域に書き込む書込処理手段３７Ｃを有する。
このように、加入が許可されている人の健康データだけがデータサーバに送信されるので、未許可の人の健康データがデータサーバに送付されることを防げる。
【図面の簡単な説明】
【００２９】
【図１】この発明の実施の形態１による健康測定システムの構成図である。
【図２】この発明の実施の形態１による家族内ＩＤ−加入者ＩＤ対応表の例である。
【図３】この発明の実施の形態１による第２の記憶手段に設定された記憶領域の例である。
【図４】この発明の実施の形態２による健康測定システムの構成図である。
【図５】この発明の実施の形態２による第２の記憶手段に設定された記憶領域の例である。
【図６】この発明の実施の形態３による健康測定システムの構成図である。
【符号の説明】
【００３０】
１、１Ｂ、１Ｃ  健康測定システム、２  家庭、３  サービスプロバイダ、４、４Ｂ、４Ｃ  データサーバ、５、５Ｂ  健康測定機器、６  宅内ゲートウエイ、７  ユーザパソコン、８  カード、９  無線、１０  インターネット、１１  ケーブル、１２、１２Ｂ  外部ゲートウエイ、１３  カードリーダ、２１  測定手段、２２  ユーザインタフェース、２３、２３Ｂ  第１の通信手段、２５  通信インタフェース、２６、２６Ｂ  第２の通信手段、２７、２７Ｂ、２７Ｃ  第３の通信手段、２８  第１の記憶手段、２９  加入者登録手段、３０  検索手段、３５、３５Ｂ  第４の通信手段、３６、３６Ｂ  第２の記憶手段、３７、３７Ｂ  書込処理手段。
【図１】
2008229123.tif 000003
【図２】
2008229123.tif 000004
【図３】
2008229123.tif 000005
【図４】
2008229123.tif 000006
【図５】
2008229123.tif 000007
【図６】
2008229123.tif 000008